(57)【要約】【課題】冷蔵庫などの扉開閉検知装置において、押し釦スイッチの釦部を操作するロッドのストロークに扉と筺体との寸法バラツキを考慮したクリアランスを容易に設定することができる構造を提供する【解決手段】押し釦スイッチ１２と、扉の閉塞によって突出状態から押込み状態に移動するよう摺動自在なロッド１４と、該ロッドを突出方向に付勢するばね１６と、をケース１８内に配置し、ロッド１４に押し釦スイッチ１２の釦部３２を押圧する連結部２６を設けるとともに、押し釦スイッチ１２を連結部２６の前方において釦部３２を後方に向けた状態に配し、これによりロッド１４の突出状態にて連結部２６により釦部３２が押圧され、ロッド１４の押込み状態にて連結部２６による釦部３２の押圧が解除されるようにする。【選択図】        図１
2004293218.tif 000002
【特許請求の範囲】
【請求項１】
押し釦スイッチと、扉の閉塞によって突出状態から押込み状態に移動するよう摺動自在に設けられたロッドと、該ロッドを突出方向に付勢する付勢手段と、をケース内に配置してなり、
前記ロッドが前記押し釦スイッチの釦部を押圧する押圧部を備え、
前記押し釦スイッチは、前記押圧部の前方において前記釦部を後方に向けた状態に配されて、前記ロッドの突出状態にて前記押圧部により前記釦部が押圧され、前記ロッドの押込み状態にて前記押圧部による前記釦部の押圧が解除される
ことを特徴とする扉開閉検知装置。
【請求項２】
前記ロッドが、前記ケースから突出可能な第１ロッド部と、該第１ロッド部と平行かつ後方に延びる第２ロッド部と、第１ロッド部の後端と第２ロッド部の前端を連結する連結部とを備えてなり、前記ケースに設けた前後の支持孔に前記第１ロッド部と前記第２ロッド部をそれぞれ貫通させて該ロッドを前後に摺動自在に保持し、前記連結部を前記押圧部としてその前方に前記押し釦スイッチを配置したことを特徴とする請求項１記載の扉開閉検知装置。
【請求項３】
請求項１又は２記載の扉開閉検知装置を冷蔵庫本体の開口部に設けたことを特徴とする冷蔵庫。
【発明の詳細な説明】
【０００１】
【発明の属する技術分野】
本発明は、扉開閉検知装置に係り、特に冷蔵庫などの筺体の開口部を扉で開閉するようにした機器において、該扉の開閉を検知するための検知装置に関するものである。また、この扉開閉検知装置を備える冷蔵庫に関するものである。
【０００２】
【従来の技術】
一般に冷蔵庫においては、扉の開閉に従って開扉時に貯蔵室内を照明する庫内灯を点灯し、閉扉時に冷却ファンの回路を接続してファンを回転させることによる冷気循環で庫内冷却を行うように切替制御するため、扉開閉検知装置が設けられている。
【０００３】
図４は、従来の扉開閉検知装置１００の取付状態を示す図であり、該装置１００は、冷蔵庫本体１１１の開口部近傍の内側壁面に設けられた凹室１１２内に、ロッド１０１を庫内に突出させた状態で配置されている。そして、扉１１３の閉塞によって扉内側ビード面１１４でロッド１０１を押し込み、これにより内部のスイッチの接点を押圧して、庫内灯回路を切断し、冷却ファンの回路を接続するように構成されている。
【０００４】
かかる扉開閉検知装置として、例えば、特許文献１には、図５に示すように、扉の閉塞によって突出状態から押込み状態に移動するようバネ１０２の付勢力で摺動自在に保持されたロッド１０１と、該ロッド１０１の押し込み移動により下方に変位する作動レバー１０３と、該作動レバー１０３の変位により釦部１０４が押圧されるマイクロスイッチからなる押し釦スイッチ１０５と、を備えて構成された扉スイッチ１００が開示されている。
【０００５】
【特許文献１】特開２００２−２３１０７９号公報
【０００６】
【発明が解決しようとする課題】
上記従来の扉開閉検知装置では、ロッド１０１を押し込む際に押し釦スイッチ１０５の釦部１０４を押圧するものであるため、ロッド１０１のストロークに扉と筺体との寸法バラツキを考慮したクリアランスを設定することが難しいという問題がある。すなわち、この場合、扉と筺体との間で寸法バラツキが生じた場合にも確実にロッド１０１の押し込みによって釦部１０４が押圧されるように、釦部１０４が押圧されたままの状態でロッド１０１が更に所定距離押し込まれるような余分な押し代（クリアランス）を確保する必要があり、そのため、別部品としての作動レバー１０３を設けるなどといった工夫も必要になる。
【０００７】
本発明は、以上の点に鑑みてなされたものであり、押し釦スイッチの釦部を操作するロッドのストロークに扉と筺体との寸法バラツキを考慮したクリアランスを容易に設定することができる扉開閉検知装置および該検知装置を備える冷蔵庫を提供することを目的とする。
【０００８】
【課題を解決するための手段】
本発明の扉開閉検知装置は、押し釦スイッチと、扉の閉塞によって突出状態から押込み状態に移動するよう摺動自在に設けられたロッドと、該ロッドを突出方向に付勢する付勢手段と、をケース内に配置してなり、前記ロッドが前記押し釦スイッチの釦部を押圧する押圧部を備え、前記押し釦スイッチは、前記押圧部の前方において前記釦部を後方に向けた状態に配されて、前記ロッドの突出状態にて前記押圧部により前記釦部が押圧され、前記ロッドの押込み状態にて前記押圧部による前記釦部の押圧が解除されるものである。ここで、前方とはロッドの突出方向と同じ向きであり、また後方とはロッドの押込み方向と同じ向きであり、必ずしも扉開閉検知装置を筺体に取り付けた状態での筺体の前後方向を意味するものではない。
【０００９】
この扉開閉検知装置では、扉を開けると、付勢手段の付勢力よりロッドが突出して押圧部により押し釦スイッチの釦部が押圧され、これにより扉が開いたことを検知する。そして、この状態から扉を閉じると、ロッドは付勢手段の付勢力に抗して押し込まれるとともに押圧部による釦部の押圧が解除されて、扉が閉じたことを検知する。このように扉の閉塞によるロッドの押込みにより押し釦スイッチの釦部の押圧が解除されるようにしたので、扉と筺体との寸法バラツキを考慮したクリアランスを確保するために、釦部が押圧されたままの状態でロッドが更に押し込まれるような機構を設ける必要がなくなり、該寸法バラツキを考慮したクリアランスを容易に設定することができる。
【００１０】
本発明の扉開閉検知装置においては、前記ロッドが、前記ケースから突出可能な第１ロッド部と、該第１ロッド部と平行かつ後方に延びる第２ロッド部と、第１ロッド部の後端と第２ロッド部の前端を連結する連結部とを備えてなり、前記ケースに設けた前後の支持孔に前記第１ロッド部と前記第２ロッド部をそれぞれ貫通させて該ロッドを前後に摺動自在に保持し、前記連結部を前記押圧部としてその前方に前記押し釦スイッチを配置してもよい。
【００１１】
この場合、一方の支持孔に第１ロッド部と第２ロッド部とのいずれか一方を貫通させ、ロッドを回転させてから他方の支持孔に他方のロッド部を貫通させることにより、連結部を持つロッドを簡単に組付けることができる。
【００１２】
本発明の冷蔵庫は、上記した扉開閉検知装置を冷蔵庫本体の開口部に設けたものである。
【００１３】
【発明の実施の形態】
以下、本発明の一実施形態について図面を参照して説明する。
【００１４】
本実施形態に係る扉開閉検知装置１０は、冷蔵庫における扉の開閉を検知するものであり、図１に示すように、押し釦スイッチとしてのマイクロスイッチ１２と、扉４の閉塞によって突出状態から押込み状態に移動するよう摺動自在に設けられたロッド１４と、該ロッド１４を突出方向に付勢する付勢手段であるばね１６と、をケース１８内に収容配置してなる。
【００１５】
ロッド１４は、軸方向を前後方向に向けて配されてケース１８の前面に設けられた開口２０から突出可能な第１ロッド部２２と、該第１ロッド部２２と平行にかつ後方に延びる第２ロッド部２４と、第１ロッド部２２の後端と第２ロッド部２４の前端とを連結する棒状の連結部２６とからなる。詳細には、ロッド１４は、ストレート状の棒を、２箇所の垂直な屈曲部を介して前後に互いに平行な２つのロッド部２２，２４を持つように、屈曲形成してなるクランク形状の棒状部材である。
【００１６】
ケース１８には、ロッド１４を前後方向に摺動自在に保持するため、前後２つの支持孔２８，３０が、天井面から下方に向けて一体に突出成形されている。これらは、前側の支持孔２８に第１ロッド部２２が貫通され、後側の支持孔３０に第２ロッド部２４が貫通されるように、ともに前後方向に開口しており、かつ、左右方向に偏心させて設けられている。
【００１７】
ばね１６は、この実施形態では圧縮コイルばねが用いられており、その内側に第２ロッド部２４が挿通され、後側の支持孔３０と連結部２６との間で圧縮された状態に装着されることで、ロッド１４を前方の突出方向に付勢している。なお、ばね１６はロッド１４を突出方向に付勢する構成であれば特に限定されず、例えば第１ロッド部２２の背後に配して前方に押すようにしてもよく、また、上記の圧縮ばねに代えて引張ばねを用いてロッド１４を前方に付勢するようにしてもよい。
【００１８】
マイクロスイッチ１２は、連結部２６の前方において、作動子である釦部３２を後方に向けた状態で配置されており、ケース１８内の天井面に突出形成された保持爪３４により保持され、また不図示の制御部に接続されて庫内灯回路と冷却ファン回路との切替を行う。マイクロスイッチ１２は、図１（ａ）に示すようにロッド１４の突出状態において連結部２６により釦部３２が押圧され、この状態からロッド１４が後方に押し込まれることにより、図１（ｂ）に示すように連結部２６が後退して釦部３２に対する押圧が解除されるようになっている。
【００１９】
この扉開閉検知装置１０を組み立てるに際しては、例えば、まず、図２（ａ）に示すように、ケース１８の前側の支持孔２８に対して、ロッド１４の第１ロッド部２２を、第２ロッド部２４が後側の支持孔３０に干渉しない姿勢で、後方から貫通させる。次いで、図２（ｂ）に示すように、ロッド１４を第１ロッド部２２の軸を中心に回転させるとともに、第２ロッド部２４にばね１６を装着し、更に、図２（ｃ）に示すように、第２ロッド部２４を後側の支持孔３０に前方から貫通させる。そして、ロッド１４を後方に押し込んだ状態でマイクロスイッチ１２を保持爪３４に固定する。以上より、簡単に組み立てることができる。
【００２０】
このようにして組み立てられた本実施形態の扉開閉検知装置１０は、例えば、図３に示すように、冷蔵庫本体１の上段に設けられた冷蔵室の前面開口部２を閉塞する冷蔵室扉４の開閉を検知するために用いられる。この例では、扉検知装置１０は、冷蔵庫本体１の天井部、すなわち本体１の上面３における開口部２の近傍に設置されており、ロッド１４の先端が冷蔵庫本体１の開口面から前方に突出するようになっている。
【００２１】
そして、冷蔵室扉４を開けると、図１（ａ）に示すように、ばね１６の付勢力よりロッド１４の先端が前方に突出するとともに、連結部２６によりマイクロスイッチ１２の釦部３２が押圧され、これにより不図示の制御部を介して庫内灯回路が接続されて冷蔵室内を照明する。
【００２２】
この開扉状態から冷蔵室扉４を閉じると、図１（ｂ）に示すように、ロッド１４はばね１６の付勢力に抗して後方に押し込まれるとともに、連結部２６による釦部３２の押圧が解除され、これにより不図示の制御部を介して庫内灯回路が切断されるとともに冷却ファン回路が接続されて、冷蔵室内を消灯するとともに冷却ファンが回転して冷気を冷蔵室内に循環させる。
【００２３】
以上よりなる本実施形態の扉開閉検知装置１０では、ロッド１４が突出した状態でマイクロスイッチ１２の釦部３２が押圧され、ロッド１４が押し込まれた状態でこの押圧が解除されるように構成されている。このようにロッド１４の押込みにより釦部３２の押圧が解除されるようにした場合、冷蔵庫本体１と冷蔵室扉４との寸法バラツキを考慮したロッド１４の余分な押し代（クリアランス）を設ける際に、もはや従来のように釦部が押圧されたままの状態でロッドが更に押し込まれるような構造を採用する必要がなくなり、そのため、該クリアランスの設定を容易に行うことができる。
【００２４】
また、特に本実施形態では、押し釦スイッチとして、釦部３２のストロークが短いマイクロスイッチ１２を用いたことにより、扉４がロッド１４に当接することで瞬時に閉扉状態を検知することができる。また、釦部３２のストロークが短い分、その背後に十分なロッド１４の上記クリアランスを確保しやすく、また、閉扉時、扉４周縁のガスケット５の圧縮により、正規の閉扉位置よりも一時的に後方に押し込まれるときのクリアランスも同様に確保しやすいという利点がある。
【００２５】
更に、本実施形態では、上記のような屈曲形状を持つロッド１４を使用したことから、少ない部品で、かつ組み立てやすい構造で、扉開閉検知装置を構成することができる。
【００２６】
なお、上記実施形態では、扉開閉検知装置１０を、冷蔵庫本体１の上面３に設置する構成を採用しているが、設置位置はこれに限定されず、例えば側面に設けることもでき、また、貯蔵室内の壁面に設けても構わない。更に、ロッド１４の突出方向も冷蔵庫の前後方向には限定されず、例えば、図４に示す従来例のように、この扉開閉検知装置１０を冷蔵庫本体の開口部近傍の内側壁面に設けた凹室内に埋設して、該壁面から横方向に突出するようにしてロッドを扉内側ビード面で押し込むように構成することもできる。
【００２７】
また、ロッド１４としては上記のような屈曲部を持つクランク形状のものには限定されず、例えば、ストレート状の棒の中間に垂直に突出する押圧部を設けたものであってもよい。この場合、押圧部の前方にマイクロスイッチをその釦部を後方の押圧部に向けて配することにより、上記実施形態と同様、ロッドの押込みにより釦部の押圧が解除されるように構成することができる。
【００２８】
【発明の効果】
本発明の扉開閉検知装置であると、扉の閉塞によるロッドの押込みにより押し釦スイッチの釦部の押圧が解除されるようにしたので、扉と筺体との寸法バラツキを考慮したロッドのクリアランスを容易に設定することができる。
【図面の簡単な説明】
【図１】本発明の一実施形態に係る扉開閉検知装置を示したものであり、（ａ）は開扉状態での底面図、（ｂ）は閉扉状態での底面図である。
【図２】（ａ）〜（ｃ）は該扉開閉検知装置の組み立て手順を示す斜視図である。
【図３】該扉開閉検知装置の取付構造の一例を示す冷蔵庫の要部斜視図である。
【図４】従来の扉開閉検知装置の取付構造を示す冷蔵庫の要部拡大断面図である。
【図５】従来の扉開閉検知装置の断面図である。
【符号の説明】
１０……扉開閉検知装置
１２……マイクロスイッチ（押し釦スイッチ）
１４……ロッド
１６……ばね
１８……ケース
２２……第１ロッド部
２４……第２ロッド部
２６……連結部
２８，３０……支持孔
３２……釦部
【図１】
2004293218.tif 000003
【図２】
2004293218.tif 000004
【図３】
2004293218.tif 000005
【図４】
2004293218.tif 000006
【図５】
2004293218.tif 000007